(57)【要約】【課題】  本発明の目的は、ユーザの意図せず、所定の情報の表示がされなくなってしまう可能性を低減することのできる表示制御装置の提供である。【解決手段】  第１の表示部に映像に重畳して情報を表示するＯＳＤ表示ＯＮの設定と、第１の表示部に映像に重畳して情報を表示しないＯＳＤ表示ＯＦＦ設定とを選択可能な選択手段と、第１の表示部と、第１の表示部とは異なる第２の表示部とへの表示の出力が可能な出力手段と、ＯＳＤ表示ＯＮ設定が選択された場合には、第１の表示部へ映像に重畳して所定の情報を表示するようにし、ＯＳＤ表示ＯＦＦ設定が選択された際に、第２の表示部への表示の出力が可能である場合には、第１の表示部へ映像に重畳して所定の情報を表示しないようにし、第２の表示部への表示の出力が可能でない場合には、第１の表示部へ映像に重畳して所定の情報を表示するように制御する制御手段とを有することを特徴とする。【選択図】  図３
2020188418.tif 000002
【特許請求の範囲】
【請求項１】
第１の表示部に映像に重畳して情報を表示するＯＳＤ表示ＯＮの設定と、前記第１の表示部に映像に重畳して情報を表示しないＯＳＤ表示ＯＦＦ設定とを選択可能な選択手段と、
前記第１の表示部と、前記第１の表示部とは異なる第２の表示部とへの表示の出力が可能な出力手段と、
前記ＯＳＤ表示ＯＮ設定が選択された場合には、前記第１の表示部へ映像に重畳して所定の情報を表示するようにし、
前記ＯＳＤ表示ＯＦＦ設定が選択された際に、前記第２の表示部への表示の出力が可能である場合には、前記第１の表示部へ映像に重畳して前記所定の情報を表示しないようにし、前記第２の表示部への表示の出力が可能でない場合には、前記第１の表示部へ映像に重畳して前記所定の情報を表示するように制御する制御手段とを有することを特徴とする表示制御装置。
【請求項２】
第１の表示部への表示の出力が可能な出力手段と、
撮像装置への脱着が可能な第２の表示部と第３の表示部の少なくともいずれか一方が前記撮像装置へ接続されており、表示の出力が可能な場合には、前記第１の表示部へ映像に重畳して所定の情報を表示しないようにし、
前記第２の表示部と前記第３の表示部とへの表示の出力が共に可能でない場合には、前記第１の表示部へ映像に重畳して前記所定の情報を表示するように制御する制御手段とを有することを特徴とする表示制御装置。
【請求項３】
前記制御手段は、撮像装置への脱着が可能な第２の表示部と第３の表示部の少なくともいずれか一方が前記撮像装置へ接続されており、表示の出力が可能な場合には、前記第１の表示部へ映像に重畳して所定の情報を表示しないようにし、
前記第２の表示部と前記第３の表示部とへの表示の出力が共に可能でない場合には、前記第１の表示部へ映像に重畳して前記所定の情報を表示するように制御することを特徴とする請求項１に記載の表示制御装置。
【請求項４】
前記制御手段は、前記ＯＳＤ表示ＯＦＦ設定が選択された際に、前記第２の表示部への情報の表示出力が可能でない場合には、前記第１の表示部へ映像に重畳して前記所定の情報を所定の時間、表示するように制御することを特徴とする請求項１または３に記載の表示制御装置。
【請求項５】
前記制御手段は、前記ＯＳＤ表示ＯＦＦ設定が選択された際に、前記第２の表示部への情報の表示出力が可能でない場合でも、動画の記録中である場合には、前記第１の表示部へ映像に重畳して前記所定の情報を表示しないように制御することを特徴とする請求項１、３、４のいずれか１項に記載の表示制御装置。
【請求項６】
前記ＯＳＤ表示ＯＦＦ設定であり、さらに前記第２の表示部への表示の出力が可能でなくなったことに応じて、前記制御手段は、前記第１の表示部へ映像に重畳して前記所定の情報を表示するように制御することを特徴とする請求項１、３、４、５のいずれか１項に記載の表示制御装置。
【請求項７】
前記出力手段は、ＨＤＭＩ端子またはＳＤＩ端子を介して前記第１の表示部への表示の出力を行うことを特徴とする請求項１、３、４乃至６のいずれか１項に記載の表示制御装置。
【請求項８】
前記制御手段は、前記ＯＳＤ表示ＯＦＦ設定が選択された際に、前記第２の表示部への表示の出力が可能でない場合には、前記第１の表示部へ前記所定の情報を表示するためのアイテムを表示するように制御することを特徴とする請求項１、３、４乃至７のいずれか１項に記載の表示制御装置。
【請求項９】
前記制御手段は、前記ＯＳＤ表示ＯＦＦ設定が選択され、さらに前記第２の表示部への表示の出力が可能でない状態になった後、所定時間が経過した後に、前記第１の表示部へ映像に重畳して前記所定の情報または前記アイテムを表示するように制御することを特徴とする請求項８に記載の表示制御装置。
【請求項１０】
前記制御手段は、前記ＯＳＤ表示ＯＦＦ設定が選択され、さらに前記第２の表示部への表示の出力が可能でなくても、記録中の動画が前記第１の表示部に表示されている場合には、前記第１の表示部へ映像に重畳して前記所定の情報を表示せず、動画の記録が停止したことに応じて前記第１の表示部へ映像に重畳して前記所定の情報を表示するように制御することを特徴とする請求項１、３、４乃至７のいずれか１項に記載の表示制御装置。
【請求項１１】
前記第２の表示部はＥＶＦであることを特徴とする請求項２に記載の表示制御装置。
【請求項１２】
第１の表示部に映像に重畳して情報を表示するＯＳＤ表示ＯＮの設定と、前記第１の表示部に映像に重畳して情報を表示しないＯＳＤ表示ＯＦＦ設定とを選択可能な選択ステップと、
前記第１の表示部と、前記第１の表示部とは異なる第２の表示部とへの表示の出力が可能な出力ステップと、
前記ＯＳＤ表示ＯＮ設定が選択された場合には、前記第１の表示部へ映像に重畳して所定の情報を表示するようにし、
前記ＯＳＤ表示ＯＦＦ設定が選択された際に、前記第２の表示部への表示の出力が可能である場合には、前記第１の表示部へ映像に重畳して前記所定の情報を表示しないようにし、前記第２の表示部への表示の出力が可能でない場合には、前記第１の表示部へ映像に重畳して前記所定の情報を表示するように制御する制御ステップとを有することを特徴とする表示制御装置の制御方法。
【請求項１３】
第１の表示部への表示の出力が可能な出力ステップと、
撮像装置への脱着が可能な第２の表示部と第３の表示部の少なくともいずれか一方が前記撮像装置へ接続されており、表示の出力が可能な場合には、前記第１の表示部へ映像に重畳して所定の情報を表示しないようにし、
前記第２の表示部と前記第３の表示部とへの表示の出力が共に可能でない場合には、前記第１の表示部へ映像に重畳して前記所定の情報を表示するように制御する制御ステップとを有することを特徴とする表示制御装置の制御方法。
【請求項１４】
コンピュータを、請求項１乃至１１のいずれか１項に記載された表示制御装置の各手段として機能させるためのプログラム。
【請求項１５】
コンピュータを、請求項１乃至１１のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置およびその制御方法に関し、特に表示部へアイテムを表示する技術に関する。
【背景技術】
【０００２】
所定のアイテムや情報を表示するか否かを設定可能な装置がある。特許文献１には、画像に撮影情報を重畳して表示する表示先を選択できることが開示されている。
【先行技術文献】
【特許文献】
【０００３】
【特許文献１】特開２０１４−０４２１０９号公報
【発明の概要】
【発明が解決しようとする課題】
【０００４】
近年、カメラや画像編集装置等の装置では、複数の表示先への出力が可能なものがある。特許文献１の方法では、ユーザが撮影情報を画像に重畳して表示しようとしていた表示先が接続されていない場合に、画像への重畳表示がされなくなってしまう。よって、ユーザは意図せず、撮影情報を見られなくなってしまう可能性がある。
【０００５】
本発明は、上記の課題に鑑み、ユーザの意図せず、所定の情報の表示がされなくなってしまう可能性を低減することのできる表示制御装置の提供を目的とする。
【課題を解決するための手段】
【０００６】
上記の目的を達成する為に、本発明の表示制御装置は、第１の表示部に映像に重畳して情報を表示するＯＳＤ表示ＯＮの設定と、前記第１の表示部に映像に重畳して情報を表示しないＯＳＤ表示ＯＦＦ設定とを選択可能な選択手段と、前記第１の表示部と、前記第１の表示部とは異なる第２の表示部とへの表示の出力が可能な出力手段と、前記ＯＳＤ表示ＯＮ設定が選択された場合には、前記第１の表示部へ映像に重畳して所定の情報を表示するようにし、前記ＯＳＤ表示ＯＦＦ設定が選択された際に、前記第２の表示部への表示の出力が可能である場合には、前記第１の表示部へ映像に重畳して前記所定の情報を表示しないようにし、前記第２の表示部への表示の出力が可能でない場合には、前記第１の表示部へ映像に重畳して前記所定の情報を表示するように制御する制御手段とを有することを特徴とする。
【発明の効果】
【０００７】
本発明によれば、ユーザの意図せず、所定の情報の表示がされなくなってしまう可能性を低減することができる。
【図面の簡単な説明】
【０００８】
【図１】本実施形態におけるカメラの外観図
【図２】本実施形態におけるカメラのブロック図
【図３】本実施形態における映像出力端子表示処理を示すフローチャート
【図４】本実施形態における表示例を示す図
【発明を実施するための形態】
【０００９】
以下、図面を参照して本発明の好適な実施形態を説明する。
【００１０】
図１は、本発明の表示制御装置の一例としてのカメラ１０の外観構成の一例を示す図である。図１（ａ）はカメラ１０を一方の側面から見た図であり、図１（ｂ）はカメラ１０を他方の側面から見た図である。
【００１１】
カメラ１０は、前面に撮影レンズ９０、側面に操作部１０５、背面にＥＶＦ１０３、上面に表示部１１１がある。ＥＶＦ１０３と表示部１１１とはカメラ１０の本体に対してそれぞれ取り外しが可能（着脱可能）である。映像出力端子１１０は、カメラ１０に対して取り外しができない表示手段を接続するための端子であり、ＨＤＭＩ（登録商標）端子やＳＤＩ端子等である。操作部１０５は、シーソ型のグリップズーム１０５ｂ（ズームキー）や、ユーザからの各種操作を受け付ける各種スイッチ、ボタン等を有する操作部材である。操作部１０５には、回転操作可能な操作部材であるコントローラホイール、電源オン、電源オフを切り替えるための電源スイッチ、メニュー画面を表示させるためのメニューボタン１０５ａ、撮影開始及び停止指示が可能な動画ボタン１０５ｃ等がある。モード切替スイッチ１０５ｄは、システムコントローラー１０６の動作モードを静止画記録モード、動画撮影モード、再生モード等のいずれかに切り替える。モード切替スイッチ１０５ｄで、メニュー画面に含まれるこれらのモードのいずれかに直接切り替えられる。あるいは、モード切替スイッチ１０５ｄでメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００１２】
図２は、本発明の表示制御装置の一例としてのカメラ１０の構成例を示すブロック図である。
【００１３】
撮像部１０１は光学像を電気信号に変換するＣＣＤやＣＭＯＳ素子等で構成される撮像素子である。カメラ信号処理部１０２は、撮像素子１０１からの映像信号を受けとり、現像部１０３に映像信号を送る。現像部１０３は、映像信号の補正や現像を行い、現像された画像はＲＡＭ１０４に保存される。
【００１４】
ユーザからの操作をユーザー操作部１０５は受け付け、システムコントローラー１０６においてユーザ操作に応じた処理が行われる。例えば、メニューボタン１０５ａの押下を検出すると表示部１１１またはＥＶＦ１０３にメニュー画面を表示し、さらに不図示の十字キー等の方向指示操作により、メニュー画面上のアイテムの選択をすることができる。ユーザからメニュー画面の表示やアイテム表示等の指示がされた場合は、操作ＧＵＩ映像生成部１０７で必要なビットマップデータを生成する。生成されたデータはＲＡＭ１０４に保存される。ユーザからメニュー画面やアイテム表示の指示をされている場合、保存された映像信号とビットマップデータは、映像合成処理部１０８で合成されたＧＵＩ重畳映像を生成し、ＲＡＭ１０４へ保存される。ＯＳＤ（Ｏｎ  Ｓｃｒｅｅｎ  Ｄｉｓｐｌａｙ）設定がＯＮになっている場合には、映像合成処理部１０８において、映像と重畳したメニュー画面が表示出力される。
【００１５】
映像出力端子１１０へ出力する映像、及び表示部１１１／ＥＶＦ１０３へ出力する映像に、ＧＵＩ表示アイテムを重畳するか否かの設定は、ユーザー操作部１０５に従ってそれぞれ別々に行われる。システムコントローラー１０６は、映像出力端子１１０及び、表示部１１１／ＥＶＦ１０３それぞれに設定された重畳設定をＲＡＭ１０４あるいは必要に応じてＲＯＭ１１２に記録させる。記録されたそれぞれの設定に基づき、映像出力端子１１０、及び表示部１１１／ＥＶＦ１０３は、重畳設定が重畳する設定の場合はＧＵＩ表示アイテムを重畳した映像を出力し、重畳しない設定の場合はＧＵＩ表示アイテムを重畳しない映像を出力する。重畳設定はメニュー画面において出力先ごとに設定をすることができる。
【００１６】
なお、ここで映像出力端子１１０はカメラ１０に接続されている端子であり、ＳＤＩやＨＤＭＩといった汎用出力端子を指し、一つ以上の端子が具備されている想定となる。映像出力端子１１０と映像出力部１１０ａは接続しており、映像出力部１１０ａにおいて映像の表示がされる。一方で、表示部１１１／ＥＶＦ１０３はユーザーが撮影に関する設定や表示に関する設定を行うための操作のためにも使用されることがある。例えば、撮影等において音量を調整する担当のユーザが表示部１１１へのタッチ操作に応じて音量の設定を行い、撮影の開始や終了指示を担当するユーザがＥＶＦ１０３を見ながらユーザー操作部１０５を操作する。
【００１７】
また、カメラ信号処理部１０２、現像部１０３、操作ＧＵＩ映像生成部１０７、映像合成処理部１０８、出画処理１０９の各処理は、システムコントローラー１０６がＲＯＭ１１２から読み出したプログラムに従い、処理される。
【００１８】
記録状態検出部２３０は、ユーザー操作部１０５によりユーザーから記録指示がでているかどうかを確認する。記録が指示状況は、システムコントローラー１０６によりＲＡＭ１０４に保存される。もし記録中であるならば、映像出力端子１１０への重畳設定や、前述の重畳表示タイマーの動作状況にかかわらず、出画処理１０９はＧＵＩ表示アイテムを重畳しない映像を、映像出力端子１１０へ出力する。
【００１９】
出画デバイス検出部２２０は、表示部１１１／ＥＶＦ１０３（脱着可能映像表示デバイス）がカメラ１０に接続された状態か否かを検出する。
【００２０】
次に、図３を用いて本実施形態における映像出力端子への表示処理について説明をする。この処理は、ＲＯＭ１１２（不揮発性メモリ）に記録されたプログラムをＲＡＭ１０４（システムメモリ）に展開してシステムコントローラー１０６が実行することで実現する。なお、この処理は、カメラ１０に電源が入り、映像出力端子１１０への表示の出力が可能になると開始する。
【００２１】
Ｓ３０１では、システムコントローラー１０６は、映像出力端子１１０へ撮像素子１０１の取得した映像を表示出力する。なお、再生モードの場合には、ＳＤカード等の記録媒体に記録されている画像を取得し、映像出力端子１１０へと表示出力する。
【００２２】
Ｓ３０２では、システムコントローラー１０６は、動画記録開始または終了の指示がされたか否かを判定する。動画記録開始または終了の指示がされたと判定した場合は、Ｓ３０３へ進み、そうでない場合は、Ｓ３０４へと進む。
【００２３】
Ｓ３０３では、システムコントローラー１０６は、動画の記録の開始、または終了をする。
【００２４】
Ｓ３０４では、システムコントローラー１０６は、カメラ１０の電源をＯＦＦにするか否かを判定する。カメラ１０の電源はユーザが操作部１０５に含まれる電源（不図示）ボタンの押下をする、または、電池がなくなった場合にＯＦＦになる。カメラ１０の電源がＯＦＦになると判定された場合は、図３の処理を終了し、そうでない場合は、Ｓ３０５へと進む。
【００２５】
Ｓ３０５では、システムコントローラー１０６は、ＯＳＤ表示設定の変更がメニュー画面において実行されたか否かを判定する。ＯＳＤ表示設定の変更がされたと判定された場合は、Ｓ３０６へ進み、そうでない場合は、Ｓ３０７へ進む。
【００２６】
Ｓ３０６では、システムコントローラー１０６は、ＯＳＤ表示設定を変更し、ＲＯＭ１１２へと設定を記録する。
【００２７】
Ｓ３０７では、システムコントローラー１０６は、映像出力端子１１０に対する現在のＯＳＤ表示設定がＯＮ（ＯＳＤ表示ＯＮ設定）かＯＦＦ（ＯＳＤ表示ＯＦＦ設定）かを確認する。
【００２８】
Ｓ３０８では、システムコントローラー１０６は、Ｓ３０７において確認をしたＯＳＤ表示設定がＯＮであったか否かを判定する。ＯＮであったと判定した場合は、Ｓ３０９へ進み、そうでない場合は、Ｓ３１０へ進む。
【００２９】
Ｓ３０９では、システムコントローラー１０６は、映像出力端子１１０においてＯＳＤ表示をＯＮにする。すなわち、Ｓ３０１において出力した映像にＯＳＤを重畳して表示する。
【００３０】
Ｓ３１０では、システムコントローラー１０６は、表示部１１１はカメラ１０に接続中であるか否かを判定する。接続中であると判定した場合は、Ｓ３１１へ進み、そうでない場合は、Ｓ３１２へ進む。Ｓ３１０の判定は、出画デバイス検出部２２０の検出結果に基づき行われる。
【００３１】
Ｓ３１１では、システムコントローラー１０６は、ＥＶＦ１０３はカメラ１０に接続中であるか否か（ＥＶＦ１０３へ表示可能か否か）を判定する。接続中であると判定した場合は、Ｓ３１１へ進み、そうでない場合は、Ｓ３１３へ進む。なお、Ｓ３１０とＳ３１１においては、表示部１１１／ＥＶＦ１０３がカメラ１０に接続であっても、例えば、画像信号の送受信ができないなどで映像またはＯＳＤの出力が不可能な状態であればＮｏと判定する。
【００３２】
Ｓ３１２では、システムコントローラー１０６は、映像出力端子１１０へのＯＳＤ表示をＯＦＦにする。
【００３３】
Ｓ３１３では、システムコントローラー１０６は、後述するフラグがＯＮであるか否かを判定する。フラグがＯＮであると判定した場合は、Ｓ３０２へ進み、そうでない場合は、Ｓ３１４へ進む。Ｓ３１３において判定するフラグは、ＯＳＤの出力先が映像出力端子１１０しかないため、ＯＳＤを映像出力端子１１０へ所定時間Ｔ、表示出力したことを示すものである。これは、ユーザがＯＳＤを視認できなくなっていることを認識していない可能性があるために表示をしているが、いったん表示をした後はフラグをＯＮにし、ユーザの設定とは異なるＯＳＤ表示をしないようにするためである。
【００３４】
Ｓ３１４では、システムコントローラー１０６は、タイマーの計時中であるか否かを判定する。Ｓ３１４において判定するタイマーは、ユーザがＯＳＤ表示設定をＯＦＦにしている際に、ＯＳＤを映像出力端子１１０に所定時間Ｔ、表示出力する際の時間を計時するためのものである。タイマーの計時中であると判定した場合は、Ｓ３１５へ進み、そうでない場合は、Ｓ３１９へ進む。
【００３５】
Ｓ３１５では、システムコントローラー１０６は、所定時間Ｔが経過したか否かを判定する。所定時間Ｔは例えば、１０秒や１５秒といった時間である。所定時間Ｔが経過したと判定した場合は、Ｓ３１６へ進み、そうでない場合は、Ｓ３２３へ進む。本実施形態においては、ユーザがＯＳＤ表示をＯＦＦにした場合にも、ユーザが意図せずＯＳＤを視認できなくなってしまうことがないように後述するＳ３２２においてＯＳＤを表示する。このとき、所定時間Ｔが経過した場合には、表示していたＯＳＤをＯＦＦにして、ユーザのＯＳＤ表示設定に沿った表示を行うようにする。所定時間Ｔが経過していれば、もしユーザがＯＳＤが見えなくなってしまうことに気づいていなかった場合にも、ユーザは途中で設定を変更することができるし、もしＯＳＤが見えなくなってしまってもよいと考えている場合には、ユーザの意図通りの表示が行える。なお、表示部１１１、ＥＶＦ１０３への表示ができない状態で、映像出力端子１１０にもＯＳＤが表示されない設定になってしまうと、メニュー画面も映像に重畳して表示されなくなってしまう。よって、意図せずＯＳＤが表示されなくなった場合には、ユーザは設定のＯＳＤがなかなか表示できずに、操作に手間取ってしまう可能性がある。
【００３６】
Ｓ３１６では、システムコントローラー１０６は、フラグをＯＮにし、ＲＡＭ１０４へと記録する。
【００３７】
Ｓ３１７では、システムコントローラー１０６は、タイマーを停止する。
【００３８】
Ｓ３１８では、システムコントローラー１０６は、映像出力端子１１０へのＯＳＤ表示をＯＦＦにする。
【００３９】
Ｓ３１９では、システムコントローラー１０６は、映像出力端子１１０先の表示手段に、ＯＳＤの表示が映像に重畳して見えなくなってしまうことを示すアラートと、設定変更アイテムとを表示する。
【００４０】
Ｓ３２０では、システムコントローラー１０６は、カメラ１０が動画の記録中か否かを判定する。動画の記録中であると判定した場合は、Ｓ３０５へ進み、そうでない場合は、Ｓ３２１へ進む。動画の記録中であれば、Ｓ３２２においてＯＳＤを映像に重畳表示しないようにする。動画の記録中は、ＯＳＤが見えなくなってしまうことをユーザが意図していなかったとしても、記録中の映像の視認性が低下することを防ぐ。
【００４１】
Ｓ３２１では、システムコントローラー１０６は、前述のタイマーの計時を開始する。
【００４２】
Ｓ３２２では、システムコントローラー１０６は、ＯＳＤ表示をＯＮにし、映像出力端子１１０にＯＳＤを重畳表示するように出力する。
【００４３】
Ｓ３２３では、システムコントローラー１０６は、ＯＳＤ表示設定を変更する操作がされたか否かを判定する。Ｓ３２３は、Ｓ３１９において表示した設定変更アイテムに対する操作がされたか否かにより判定を行う。ユーザがＳ３１９における表示によって、ＯＳＤが見えなくなってしまうことに気づいた場合には、ＯＳＤ表示設定をＯＮへと変更することができる。Ｓ３２３において、ＯＳＤ表示設定を変更する操作がされた、すなわち、ＯＳＤ表示設定がＯＦＦからＯＮへと変更された場合には、Ｓ３２４へと進み、そうでない場合は、Ｓ３２６へと進む。
【００４４】
Ｓ３２４では、システムコントローラー１０６は、ＯＳＤ表示設定をＯＮにして、ＲＯＭ１１２へと記録する。
【００４５】
Ｓ３２５では、システムコントローラー１０６は、タイマーの計時を終了する。なお、タイマーはシステムコントローラー１０６が計時してもよいし、システムタイマーの構成を有しておいて、システムタイマーが計時を行ってもよい。
【００４６】
Ｓ３２６では、システムコントローラー１０６は、表示部１１１またはＥＶＦ１０３がカメラ１０に接続されたか否かを判定する。表示部１１１またはＥＶＦ１０３がカメラ１０へと接続されたと判定した場合は、Ｓ３１７へ進み、そうでない場合は、Ｓ３１３へ進む。例えば、ユーザが映像出力端子１１０へのＯＳＤの表示はＯＦＦにしたいが、ＯＳＤが映像に重畳して表示されなくなることを避けたい場合には、途中で他の表示手段をカメラ１０へと接続すれば、ＯＳＤを見られるようになる。なお、Ｓ３２６における判定及びＳ３１０とＳ３１１における判定は、物理的に他の表示手段がカメラ１０に接続されていることを判定しなくてもよい。例えば、無線や有線で映像やＯＳＤを出力可能な状態である表示手段があれば、Ｙｅｓと判定をしてもよい。
【００４７】
なお、Ｓ３０１の電源ＯＮ時点では、表示部１１１またはＥＶＦ１０３が接続されていたが、途中で接続が外れた場合には、以下のようになる。すなわち、Ｓ３１０またはＳ３１１の判定がＹｅｓとなり、Ｓ３１２においてＯＳＤの表示がＯＦＦとなるが、表示部１１１またはＥＶＦ１０３が非接続になったことに応じてＳ３１０またはＳ３１１の判定がＮｏになる。これにより、Ｓ３１３へと進み、Ｓ３１３の判定はＮｏとなり、動画の記録中でなければＯＳＤへの表示がＯＮとなる。また、Ｓ３０１の電源ＯＮ時点では、表示部１１１もＥＶＦ１０３も非接続であり、ＯＳＤの表示設定もＯＦＦであったが、途中で表示部１１１またはＥＶＦ１０３が接続された場合には、以下のようになる。つまり、Ｓ３２２においてＯＳＤの表示がされていても、Ｓ３１０またはＳ３１１の判定がＹｅｓとなるので、Ｓ３１２においてＯＳＤの表示がＯＦＦとなる。
【００４８】
Ｓ３１０またはＳ３１１の判定を行わなくても、Ｓ３０８の判定がＮｏとされれば、ＯＳＤを映像出力端子１１０に所定時間Ｔ、表示出力するようにしてもよい。
【００４９】
また、Ｓ３２０における動画記録中か否かの判定を行わず、動画の記録中か否かに関わらず、Ｓ３２２においてＯＳＤを表示するようにしてもよい。
【００５０】
出画デバイス検出部２２０は、表示部１１１またはＥＶＦ１０３への接続状況を定期的に確認してもよいし、Ｓ３１０またはＳ３１１のステップのたびに確認をしてもよい。定期的に確認をする場合には、映像更新周期であるフレームレート周期であっても、パネルやＥＶＦが映像更新する周期であってもよい。
【００５１】
さらに、ＯＳＤ表示設定がＯＦＦで、フラグもＯＮになり、ＯＳＤが映像出力端子１１０先の表示手段に表示されない状態になった後、動画の記録中でなければ、再度メニューボタン１０５ａの押下でＯＳＤを再び所定時間Ｔ表示してもよい。なお、カメラ１０を再起動した場合にも、フラグがＯＦＦとなるので、ＯＳＤは再び表示される。
【００５２】
また、ＯＳＤを非表示にした後、表示部１１１やＥＶＦ１０３が接続されていない場合には、ＯＳＤ再表示アイテムを映像に重畳させて表示させておき、容易にＯＳＤを再表示できるようにしてもよい。
【００５３】
所定時間Ｔの値をユーザが任意に設定可能とするか、システム固有値とするかは、どちらでもよい。
【００５４】
なお、Ｓ３２０において動画の記録中である判定された場合には、ＯＳＤを表示しないようにすることを説明したが、動画の記録が終了したことに応じてＳ３２２におけるＯＳＤの表示出力を行うようにしてもよい。
【００５５】
図４（ａ）〜（ｆ）には、本実施形態における映像出力端子１１０に接続されている表示手段における表示例、すなわち、映像出力端子１１０への表示出力の例を示している。
【００５６】
図４（ａ）では、図３のＳ３０１における映像出力の例を示している。図４（ａ）の状態からメニューボタン１０５ａが押下されると、図４（ｂ）のメニュー画面４０１に示すようなメニュー画面が出力される。メニュー画面４０１では、ＨＤＭＩ端子へのＯＳＤの表示設定がＯＮになっており、その他のＤｉｓｐｌａｙ１、２の設定もＯＮになっている。ＨＤＭＩ端子は映像出力端子１１０に対応し、Ｄｉｓｐｌａｙ１、２はそれぞれ表示部１１１やＥＶＦ１０３に対応する。
【００５７】
図４（ｃ）のメニュー画面４０２においては、映像出力端子１１０へのＯＳＤ表示設定がＯＮからＯＦＦに切り替えられたことを示している。映像出力端子１１０へのＯＳＤ表示設定がＯＮからＯＦＦに切り替えられると、図４（ｄ）に示す設定変更アイテム４０３を表示出力する。設定変更アイテム４０３においては、ＯＳＤを非表示にしていいのかを問う内容の文書と共に、ＯＫか、キャンセルかを示すアイテムを選択可能な状態で表示する。これにより、ユーザはＯＳＤを非表示にして良いと判定した場合は、ＯＫを選択し、そうでない場合にはキャンセルを選択することができる。すなわち、いずれの表示先にも情報表示が映像に重畳して表示されなくなってしまうことを意図していなかった場合には、キャンセルを選択することができる。また、Ｓ３１９においては、図４（ｅ）に示すようなアラート４０４を表示する。設定変更アイテム４０３とアラート４０４とは別々に表示をしても、一緒に表示をしてもよい。また、動画の記録中である場合には、図４（ｄ）、（ｅ）に示す表示出力をしないが、図４（ｆ）に示すようにＯＳＤを再表示するためのアイテム４０５を表示するようにしてもよい。
【００５８】
なお、システム制御部５０が行うものとして説明した上述の各種の制御は１つのハードウェアが行ってもよいし、複数のハードウェアが処理を分担することで、装置全体の制御を行ってもよい。
【００５９】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６０】
また、上述した実施形態においては、本発明をカメラ１０に適用した場合を例にして説明したが、これはこの例に限定されず、ＯＳＤなどの表示制御が可能な制御装置であれば適用可能である。すなわち、本発明は携帯電話端末や携帯型の画像ビューワ、ファインダーを備えるプリンタ装置、デジタルフォトフレーム、音楽プレーヤー、ゲーム機、電子ブックリーダーなどに適用可能である。
【００６１】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【００６２】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００６３】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００６４】
プログラムを供給するための記録媒体としては、例えば、ハードディスク、磁気テープ等の磁気記録媒体、光／光磁気記憶媒体、不揮発性の半導体メモリでもよい。
【００６５】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
2020188418.tif 000003
【図２】
2020188418.tif 000004
【図３】
2020188418.tif 000005
【図４】
2020188418.tif 000006